(57)【要約】      （修正有）【課題】ペットが後足で立ち上がって突発的に前進しようとするなど、突発的な予想外の動作をとっても、ペットの頚部や腹部に過度のテンションがかかるのを回避できるペット用ハーネスを提供する。【解決手段】ハーネス１は、ペットに装着されるベスト部１１と、ペットの背中中央に位置されリードが係合されるリード係合部１２と、装着部１５とを備える。ベスト部は、ペットの頸部に巻き回される頚部用帯１３と、ペットの腹部に巻き回される腹部用帯１４と、ペットの胸部において一定の面積をもって頚部用帯と腹部用帯とを連結する連結布部材１６とから形成される。一対のリード係合部は内部に芯材を有し、ハーネスをペットに装着した状態において、芯材の硬度によって一対のリード係合部が連結布部材に対して直交する方向に自立している。【選択図】図１
0003231730.tif 000002
【実用新案登録請求の範囲】
【請求項１】
四足動物に着用させるペット用ハーネスであって、
前記四足動物の頚部に当接される頚部用帯と、
前記四足動物の腹部に当接される腹部用帯と、
前記四足動物の胸部において、一定の面積をもって、前記頚部用帯と前記腹部用帯とを連結する連結布部材と、
前記頚部用帯の端部と、前記腹部用帯の端部を縫合することによって、左右一対に形成される環状部と、
前記左右一対の環状部同士を着脱自在に係合させる装着部と、
前記左右一対の環状部にそれぞれ接合され、その自由端側にリングをそれぞれ有する左右一対のリード係合部と
を備え、
前記一対のリード係合部は内部に芯材を有し、
当該ペット用ハーネスを前記四足動物に装着した状態において、前記芯材によって前記一対のリード係合部が前記連結布部に対して直交する方向に自立している
ことを特徴とするペット用ハーネス。
【請求項２】
前記芯材は帯状の部材を折り曲げて端部に屈曲部分を形成した半環状をなし、
前記リード係合部は帯状の部材を折り曲げて前記芯材の外表面を覆う半環状の外皮部を有し、
前記外皮部は前記芯材端部の屈曲部分に対応する部位に屈曲部分が形成され、
前記芯材及び前記外皮部の屈曲部分には、環状のリング部が掛けられている
ことを特徴とする請求項１に記載のペット用ハーネス。
【請求項３】
前記ベルト部の少なくとも一方には、芯材の中途に表裏の縫製をしない箇所を設けてスリットが形成され、このスリットにはリングベルトが掛け回されて無端状に形成されていることを特徴とする請求項１又は２に記載のペット用ハーネス。
【請求項４】
前記頚部用帯の端部と前記腹部用帯の端部とが縫合された縫合部に前記リード係合部は接合され、
前記一対の環状部が同一平面上に位置するように当該ペット用ハーネスを左右に展開させた状態において、前記一対のリード係合部それぞれの延長線が一直線上に交わるように配置されていることを特徴とする請求項１乃至３のいずれかに記載のペット用ハーネス。
【考案の詳細な説明】
【技術分野】
【０００１】
本考案は、犬や猫、フィレットなどの四足動物のペットに着用させるペット用ハーネスに関する。
【背景技術】
【０００２】
従来より、犬や猫、フィレットなどのペットに着用させるペット用ハーネスや胴輪については、種々のタイプが開発されており、例えば特許文献１に開示するようなものがある。この特許文献１に開示されたペット用胴輪は、前後の胴部帯状体の前後の振り分け角度が自然に変更され、或いは、ペットの動きに合わせて前後の胴部帯状体もより自由に可動するようになっており、使用中、胴輪が周方向に移動してずれてしまうのを防止することができる。
【先行技術文献】
【特許文献】
【０００３】
【特許文献１】特開平１０−２５７８３３号公報
【考案の概要】
【考案が解決しようとする課題】
【０００４】
しかしながら、上述した特許文献１に開示されたペット用胴輪では、胴輪を構成する帯状体（ベルト）が自由に動くことができるため、足の付け根や肋骨の下などペットの身体の凹みに食い込んでしまい、そこに過度のテンションがかかることとなる。また、このようなテンションの集中を回避しようとして、ベルトを緩めた場合には、ペットが激しく動いたり、後退りするなど予想外の動作をとったときには、胴輪が抜けたり、外れたりしてしまう惧れがある。
【０００５】
特に、ペット用ハーネスにリードを連結する係合部がフレキシブル過ぎるとペットの動作を制御できないばかりか、引っ張る力が偏って局所的に作用するためペットの身体にさらに食い込む結果となり、負荷が大きくなりすぎるという問題もある。
【０００６】
そこで、本考案は、上記のような問題を解決するものであり、ペットの身体に過度のテンションがかかるのを軽減しつつ、ペットの動作を制御できるペット用ハーネスを提供することを目的とする。
【課題を解決するための手段】
【０００７】
上記課題を解決するために、本考案は、四足動物に着用させるペット用ハーネスであって、前記四足動物の頚部に当接される頚部用帯と、前記四足動物の腹部に当接される腹部用帯と、前記四足動物の胸部において一定の面積をもって前記頚部用帯と前記腹部用帯とを連結する連結布部材と、前記頚部用帯の端部と、前記腹部用帯の端部を縫合することによって左右一対に形成される環状部と、前記左右一対の環状部同士を着脱自在に係合させる装着部と、前記左右一対の環状部にそれぞれ接合されその自由端側にリングをそれぞれ有する左右一対のリード係合部とを備え、一対のリード係合部は内部に芯材を有し、当該ペット用ハーネスを四足動物に装着した状態において芯材によって一対のリード係合部が連結布部に対して直交する方向に自立していることを特徴とする。
【０００８】
このような本考案によれば、前記頚部用帯の端部と、前記腹部用帯の端部を縫合することによって、左右一対に形成される環状部に、ペットの前足を通し、ペットの背後において、左右の装着部を係合させることで、ペットにハーネスを装着させることができる。このとき、ペットの胸部に当接される布部材により、ハーネス全体をペットに密着させることができ、また、布部材は所定の面積を有することから、リードなどを介してペットに伝達されるテンションをペットの胸部から腹部にかけて分散させることができる。
【０００９】
なお、上記考案では、芯材は帯状の部材を折り曲げて端部に屈曲部分を形成した半環状をなし、リード係合部は帯状の部材を折り曲げて芯材の外表面を覆う半環状の外皮部を有し、外皮部は芯材端部の屈曲部分に対応する部位に屈曲部分が形成され、芯材及び外皮部の屈曲部分には、環状のリング部が掛けられていることが好ましい。また、上記考案において前記ベルト部の少なくとも一方には、芯材の中途に表裏の縫製をしない箇所を設けてスリットが形成され、このスリットにはリングベルトが掛け回されて無端状に形成されていることが好ましい。
上記考案では、頚部用帯の端部と腹部用帯の端部とが縫合された縫合部にリード係合部は接合され、一対の環状部が同一平面上に位置するように当該ペット用ハーネスを左右に展開させた状態において一対のリード係合部それぞれの延長線が一直線上に交わるように配置されていることが好ましい。
【考案の効果】
【００１０】
以上述べたように、この考案によれば、一対のリード係合部は内部に芯材を有し、当該ペット用ハーネスを四足動物に装着した状態において芯材の硬度によって一対のリード係合部が連結布部に対して直交する方向に自立している。これにより、本考案によれば、犬や猫、フィレットなどの四足動物のペットに用いるペット用ハーネスにおいて、ペットが後足で立ち上がって突発的に前進しようとするなど、突発的な予想外の動作をとっても、ペットの身体に過度のテンションがかかるのを軽減しつつ、ペットの動作を制御できる。
【図面の簡単な説明】
【００１１】
【図１】実施形態に係るペット用ハーネスの全体構成を示す斜視図である。
【図２】実施形態に係るペット用ハーネスの装着状態を示す説明図である。
【図３】実施形態に係るペット用ハーネスの縫製前の展開図である。
【図４】実施形態に係る縫製後のペット用ハーネスを左右に開いた展開図である。
【図５】実施形態に係るペット用ハーネスのリード係合部及びバックル部を示す上面図である。
【図６】実施形態に係るペット用ハーネスのリード係合部の構成を示す説明図である。
【図７】実施形態に係るペット用ハーネスの装着状態を上方から示す説明図である。
【図８】実施形態に係るペット用ハーネスの全体構成を示す側面図である。
【図９】変更例に係るペット用ハーネスのリード係合部の構成を示す説明図である。
【考案を実施するための形態】
【００１２】
（ペット用ハーネスの概要）
以下に添付図面を参照して、本考案に係るペット用ハーネスの実施形態を詳細に説明する。図１は本実施形態に係るペット用ハーネスの斜視図であり、図２はペット用ハーネスの使用状態を示す説明図である。なお、以下に示す実施の形態は、この考案の技術的思想を具体化するための装置等を例示するものであって、この考案の技術的思想は、各構成部品の材質、形状、構造、配置等を下記のものに特定するものでない。この考案の技術的思想は、特許請求の範囲において、種々の変更を加えることができる。
【００１３】
図１及び図２に示すように、ペット用ハーネス１は、犬や猫、フィレットなど四足動物のペット２に着用させるベストハーネスであり、具体的に、ペット２に装着されるベスト部１１と、ペット２の背中中央に位置され、リード３が係合されるリード係合部１２と、装着部１５とを備えている。そして、本実施形態ではリード３をペットの背中（背骨）に対して垂直に引く事が可能となっており、これにより、ペットの前足を浮かすことができ制御がしやすくなっている。
【００１４】
ベスト部１１は、ペットの頸部に巻き回される頚部用帯１３と、ペットの腹部に巻き回される腹部用帯１４と、ペット２の胸部から腹部にわたって一定の面積をもって頚部用帯１３と腹部用帯１４とを連結する連結布部材１６とから形成されている。これらの頚部用帯１３の端部と、腹部用帯１４の端部とを縫着部１３１で縫合することによって、環状部１１１及び１１１ｂが左右一対に形成されている。そして、一対の環状部１１１と１１１ｂにペット２の前足を通し、ペットの背中側で装着部１５を連結させることにより、ペット２の上半身に装着される。なお、本実施形態において、ベスト部１１のペット２と当接する裏面１１ａの表面は、メッシュ素材から構成されており、当接部分の通気性を向上させてムレを防止することができる。また、裏面１１ａにはクッション材が用いられており、負担の掛り易い部分であるペットの喉、前足の付け根、脇下等へテンションが集中するのを軽減させることができる。
【００１５】
（ペット用ハーネスの具体的構成）
以上説明した概要のペット用ハーネス１の具体的構成について詳細に説明する。図３〜図６に本実施形態に係るペット用ハーネスの構成を示す。
【００１６】
上述したように、ペット用ハーネス１は、ペットに装着される布部材であるベスト部１１と、ペット２の背中中央に位置されるリード係合部１２と、ペットの頸部に巻き回される頚部用帯１３と、ペットに巻き回される腹部用帯１４とを備えている。ベスト部１１は、頚部用帯１３と、腹部用帯１４と、これら頚部用帯１３と腹部用帯１４とを連結する連結布部材１６とからなり、例えば合成繊維や合成皮革、本革などで形成することができる。このベスト部１１の形状は、ペット２の頚部及び腹部に巻き回し、所定の面積をもって胸部に当接できれば、図示した矩形状のみならず、ペットの肢体に合わせて種々の曲線によってデザインすることができる。
【００１７】
リード係合部１２は、左右一対の環状部１１１及び１１１ｂにそれぞれ縫着されたベルト１２２，１２２からなり、各ベルト１２２，１２２の自由端側にはリング１２１ａ及び１２１ｂをそれぞれ有している。また、リード係合部１２，１２は、縫着部１３１において縫い付けられてこの縫着部１３１から突出した構成となっており、腹部用帯１４側に対して、引く力が作用するようになっている。そして、一対のリード係合部１２，１２は、図４に示すように、一対の環状部１１１，１１１が同一平面上に位置するように当該ペット用ハーネス１を左右に展開させた状態において、一対のリード係合部１２，１２それぞれの延長線がＣＬ２上で、一直線状に交わるように配置されている。
【００１８】
リード係合部１２，１２の各ベルト１２２は、図６（ｃ）に示すように、内部に芯材１２３ａ，１２３ｂをそれぞれ有している。詳述すると、詳述すると、本実施形態に係るリード係合部１２のベルト１２２は、帯状の部材を折り曲げて端部に屈曲部分を形成した半環状の芯材１２３ａ，１２３ｂを外皮部１２２ａ，１２２ｂで挟み込み、この外皮部１２２ａ，１２２ｂの側端を縫糸でベルト１２２の表裏で芯材１２３ａ，１２３ｂとともに縫い合わせるようにして構成されている。
具体的に、芯材１２３ａ又は１２３ｂは、帯状の部材を折り曲げて端部に屈曲部分を形成した半環状をなし、各リード係合部１２，１２は帯状の部材を折り曲げて芯材１２３ａ又は１２３ｂの外表面を各々覆う半環状の外皮部１２２ａ又は１２２ｂを有している。外皮部１２２ａ又は１２２ｂは芯材１２３ａ又は１２３ｂ端部の屈曲部分に対応する部位に屈曲部分が形成され、この屈曲部分は表裏で縫い合わされることによって環状部１２４を形成している。この芯材１２３ａ又は１２３ｂ、若しくは外皮部１２２ａ又は１２２ｂの屈曲部分である環状部１２４には、環状のリング１２１ａ及び１２１ｂがそれぞれ掛けられている。
また、このリード係合部１２は、図８に示すように、当該ペット用ハーネス１をペット２に装着した状態において、芯材１２３の硬度によって一対のリード係合部１２が連結布部材１６に対して直交する方向に自立している。なお、本実施形態では、一方のベルト１２２の芯材１２３（ここでは１２３ｂを例示）の中途に表裏の縫製をしない箇所を設けてリングベルト１２７を挿通するスリット１２５が形成されている。このリングベルト１２７は、スリット１２５に掛け回されて無端状に縫製されており、このリングベルト１２７の環状部分に他方のベルト１２２を通すことにより、左右のベルト１２２，１２２をまとめられるようになっている。
【００１９】
そして、図７（ａ）に示すように、ベスト部１１をペット２に装着した状態において、左右のリング１２１ａ及び１２１ｂを束ねてリード３のフック３１や鎖等を係合できるようになっている。ここでリング１２１ａ及び１２１ｂとしては、形状の丸い丸カン、若しくはＤ字状のＤカン、三角形の三角カン等の留め具であり、金属又はプラスチック素材などの一定の強度を有する素材から形成されている。
【００２０】
装着部１５は、左右一対の環状部１１１及び１１１にそれぞれ縫着されたベルト１５ａ，１５ｂからなり、各ベルト１５ａ及び１５ｂの自由端側にはバックル１５１の着脱部１５１ａ及び１５１ｂをそれぞれ有している。そして、ベスト部１１をペット２に装着した状態において、着脱部１５１ａ及び１５１ｂを結合させることにより、ベスト部１１を、ペット２の上半身に密着させる。なお、装着部１５の中途には、アジャスタ１５２が設けられており、バックル１５１によるベルトの着脱とともに、装着部１５の長さの調節も可能となっている。なお、本実施形態において、装着部１５は、リード係合部１２，１２の前方に位置しているが、本考案はこれに限定するものでなく、例えば、図７（ｂ）に示すように、リード係合部１２，１２をペットの首側に配置させ、装着部１５をリード係合部１２，１２の後方に位置させてもよい。
【００２１】
また、装着部１５は、図８に示すように、ペット２の脊髄に沿った中心線ＣＬ１に対して一定の角度を保持するように、頚部用帯１３の端部（縫着部１３１）に縫着されている。そして、本実施形態では、図８に示すように、縫着部１３１で頚部用帯１３と腹部用帯１４とを縫着させた状態において、リード係合部１２，１２の延長線ＣＬ２とベスト部１１の中心線ＣＬ１とが、これらの交点Ｐ１において直交するような構成となっている。
（変更例）
なお、以上説明した実施形態の説明は、本考案の一例である。このため、本考案は上述した実施形態に限定されることなく、本考案に係る技術的思想を逸脱しない範囲であれば、設計等に応じて種々の変更が可能である。例えば、上述した実施形態では、芯材を帯状の部材を折り曲げて端部に屈曲部分を形成した半環状とし、この芯材を帯状の外皮部で挟み込んで覆うような半環状としたが、図９に示すように、筒状の芯材２２３を外皮部２２４で挟み込み、この外皮部２２４の両側のフランジ部２２５を縫糸２２６で縫い合わせるようにして構成してもよい。この場合は、当該ペット用ハーネス１をペット２に装着した状態において、芯材２２３の硬度によって一対のリード係合部２２２が連結布部材１６に対して直交する方向に自立している。
【００２２】
（本実施形態による作用・効果）
以上説明した本実施形態に係るペット用ハーネス１によれば、頚部用帯１３の端部と、腹部用帯１４の端部を縫合することによって、左右一対に形成される環状部１１１ａ及び１１１ｂに、ペット２の前足を通し、ペット２の背後において、左右の装着部１５のバックル１５１を係合させることで、ペット２にペット用ハーネス１を装着させることができる。このとき、ペット２の胸部に当接される連結布部材１６により、ハーネス全体をペット２に密着させることができ、また、連結布部材１６は所定の面積を有することから、リード３などを介してペット２に伝達されるテンションをペット２の胸部から腹部にかけて分散させることができる。
【００２３】
特に、本実施形態に係るペット用ハーネス１によれば、一対のリード係合部１２，１２は内部に芯材１２３を有し、当該ペット用ハーネス１をペット２に装着した状態において芯材１２３の硬度によって一対のリード係合部１２，１２が連結布部に対して直交する方向に自立している。これにより、本実施形態によれば、ペット２が後足で立ち上がって突発的に前進しようとするなど突発的な予想外の動作をとっても、ペット２の身体に過度のテンションがかかるのを軽減しつつペット２の動作を制御できる。
【００２４】
また、図４に示すように、一対の環状部１１１，１１１が同一平面上に位置するように当該ペット用ハーネス１を左右に展開させた状態において一対のリード係合部１２，１２それぞれの延長線が一直線上に交わるように配置されているため、リード３などを介してペット２に伝達されるテンションを、ペット２の胸部から腹部にわたって均等に作用させることができる。その結果、リード３をペット２の腹筋位置で背中（背骨）に対して垂直に引く事が可能となり、これにより、ペットの前足を浮かすことができ、コントロールがしやすくなっている。
【符号の説明】
【００２５】
ＣＬ１，２…中心線
１…ペット用ハーネス
２…ペット
３…リード
１１…ベスト部
１１ａ…裏面
１２，１２…リード係合部
１３…頚部用帯
１４…腹部用帯
１５…装着部
１５ａ，１５ｂ…ベルト
１６…連結布部材
３１…フック
１１１，１１１…環状部
１２１ａ，１２１ｂ…リング
１２２…ベルト
１２２（１２２ａ，１２２ｂ）、２２４…外皮部
１２３、２２３…芯材
１２４…環状部
１２５…スリット
１２７…リングベルト
２２５…フランジ部
２２６…縫糸
１３１…縫着部
１５１…バックル
１５１ａ，１５１ｂ…着脱部
１５２…アジャスタ
【図１】
0003231730.tif 000003
【図２】
0003231730.tif 000004
【図３】
0003231730.tif 000005
【図４】
0003231730.tif 000006
【図５】
0003231730.tif 000007
【図６】
0003231730.tif 000008
【図７】
0003231730.tif 000009
【図８】
0003231730.tif 000010
【図９】
0003231730.tif 000011
【手続補正書】
【提出日】令和3年2月16日(2021.2.16)
【手続補正１】
【補正対象書類名】実用新案登録請求の範囲
【補正対象項目名】全文
【補正方法】変更
【補正の内容】
【実用新案登録請求の範囲】
【請求項１】
四足動物に着用させるペット用ハーネスであって、
前記四足動物の頚部に当接される頚部用帯と、
前記四足動物の腹部に当接される腹部用帯と、
前記四足動物の胸部において、一定の面積をもって、前記頚部用帯と前記腹部用帯とを連結する連結布部材と、
前記頚部用帯の端部と、前記腹部用帯の端部を縫合することによって、左右一対に形成される環状部と、
前記左右一対の環状部同士を着脱自在に係合させる装着部と、
前記左右一対の環状部にそれぞれ接合され、その自由端側にリングをそれぞれ有する左右一対のリード係合部と
を備え、
前記一対のリード係合部は内部に芯材を有し、
当該ペット用ハーネスを前記四足動物に装着した状態において、前記芯材によって前記一対のリード係合部が前記連結布部に対して直交する方向に自立している
ことを特徴とするペット用ハーネス。
【請求項２】
前記芯材は帯状の部材を折り曲げて端部に屈曲部分を形成した半環状をなし、
前記リード係合部は帯状の部材を折り曲げて前記芯材の外表面を覆う半環状の外皮部を有し、
前記外皮部は前記芯材端部の屈曲部分に対応する部位に屈曲部分が形成され、
前記芯材及び前記外皮部の屈曲部分には、環状のリング部が掛けられている
ことを特徴とする請求項１に記載のペット用ハーネス。
【請求項３】
前記リード係合部の少なくとも一方には、芯材の中途に表裏の縫製をしない箇所を設けてスリットが形成され、このスリットにはリングベルトが掛け回されて無端状に形成されていることを特徴とする請求項１又は２に記載のペット用ハーネス。
【請求項４】
前記頚部用帯の端部と前記腹部用帯の端部とが縫合された縫合部に前記リード係合部は接合され、
前記一対の環状部が同一平面上に位置するように当該ペット用ハーネスを左右に展開させた状態において、前記一対のリード係合部それぞれの延長線が一直線上に交わるように配置されていることを特徴とする請求項１乃至３のいずれかに記載のペット用ハーネス。